(57)【要約】      （修正有）【課題】キャンプネイルの少なくとも一部分が地面に露出しているため、キャンパーが活動中に誤ってキャンプネイルを蹴った場合、怪我するだけでなく、キャンプネイルが緩んで完全に地面から抜ける可能性があり、当初設置されていたテントが倒壊し、キャンパーを困惑させる。従来の問題を解決するキャンプネイル保護構造を提供する。【解決手段】本考案のキャンプネイル保護構造は保護本体１０及びカバー２０を含む。保護本体は相対する第一端１１と第二端１２及び螺旋溝１３を含み、第二端は内側に向けて収容スペース１２１を設けており、且つ螺旋溝は第二端から第一端に向けて収容スペースの周りを取り巻いて回転延伸しており、その中で、キャンプネイルは第二端から収容スペース内に入れることができ、且つキャンプロープは収容スペース内から螺旋溝を経て保護本体の外に出ることができる。カバーは取り外しが可能であり、第一端に結合している。【選択図】図１
0003233623.tif 000002
【実用新案登録請求の範囲】
【請求項１】
キャンプネイル保護構造であって、キャンプロープを取り付けたキャンプネイルに装着するのに用いられ、前記キャンプネイル保護構造は保護本體とカバーを含み、
前記保護本体は相対する第一端と第二端及び螺旋溝を含み、前記第二端には内側に向けて収容スペースを設けられており、且つ前記螺旋溝は前記第二端から前記第一端に向けて前記収容スペースの周りを取り巻いて回転延伸しており、その中で、前記キャンプネイルは前記第二端から前記収容スペース内に入れることができ、且つ前記キャンプロープは前記収容スペース内から前記螺旋溝を経て前記保護本体の外に出ることができ、及び
前記カバーは取り外し可能に前記第一端に結合している、ことを特徴とするキャンプネイル保護構造。
【請求項２】
前記保護本体は更にベアリング部を含み、前記ベアリング部は前記第一端に設置されており、且つ前記カバーを前記第１端と組み合わせると、前記ベアリング部を覆う、ことを特徴とする請求項１に記載のキャンプネイル保護構造。
【請求項３】
前記保護本体は更に少なくとも一つの固定構造を含み、前記少なくとも一つの固定構造は前記第一端に設置されており、且つ前記カバーは少なくとも一つの対応固定構造を含み、その中で前記カバーの前記少なくとも一つの対応固定構造と前記保護本体の前記少なくとも一つの固定構造が互いにしっかり組み合うことで、前記カバーが前記保護本体から外れることを防ぐ、ことを特徴とする請求項２に記載のキャンプネイル保護構造。
【請求項４】
前記ベアリング部はリング構造を含み、且つ前記少なくとも一つの固定構造は前記リング構造の外側壁に設置されている、ことを特徴とする請求項３に記載のキャンプネイル保護構造。
【請求項５】
前記リング構造は少なくとも一つの開け口部を含み、且つ前記各開け口部は前記外側壁の先端から第二端の方向に向けて凹形を形成している、ことを特徴とする請求項４に記載のキャンプネイル保護構造。
【請求項６】
前記各固定構造は凸状構造であり、且つ前記各対応固定構造は凹形構造である、ことを特徴とする請求項３に記載のキャンプネイル保護構造。
【請求項７】
前記キャンプネイル保護構造は更に発光モジュールを含み、前記発光モジュールは前記ベアリング部に設置されている、ことを特徴とする請求項２に記載のキャンプネイル保護構造。
【請求項８】
前記発光モジュールはプッシュ式発光ダイオードモジュールであり、且つ前記カバーを押すことにより前記プッシュ式発光ダイオードの電源をオン或いはオフにする、ことを特徴とする請求項６に記載のキャンプネイル保護構造。
【請求項９】
前記プッシュ式発光ダイオードモジュールは点滅ライトを発し、前記点滅ライトは、青色光、赤色光、緑色光、黄色光からなる群から選択される少なくとも１つである、ことを特徴とする請求項７に記載のキャンプネイル保護構造。
【請求項１０】
前記保護本体はプラスチック素材により製作される、ことを特徴とする請求項１に記載のキャンプネイル保護構造。
【請求項１１】
前記カバーは透明ゴム素材により製作される、ことを特徴とする請求項１に記載のキャンプネイル保護構造。
【請求項１２】
前記螺旋溝は前記第二端から反時計回り或いは時計回りに沿って、前記第一端に向かって回転延伸している、ことを特徴とする請求項１に記載のキャンプネイル保護構造。
【考案の詳細な説明】
【技術分野】
【０００１】
本考案はキャンプネイル保護構造に関するものであり、特に発光モジュールとの組み合わせが可能で、且つ分解と組立が容易なキャンプネイル保護構造である。
【背景技術】
【０００２】
近年、キャンプが普及しており、多くの人が山、森や海岸に行き、テントを張ったり、野生のキャンプ生活を体験したりするのに適したキャンプ場を探している。従来では、テントを設置するときは、テントの周りの適した地面位置にキャンプネイルを設置する必要があり、テントのキャンプロープをキャンプネイルに取り付けて、テントを支えて固定できるようにする。
【０００３】
キャンプネイルの少なくとも一部分が地面に露出しているため、キャンパーが活動中に誤ってキャンプネイルを蹴った場合、怪我するだけでなく、キャンプネイルが緩んで完全に地面から抜ける可能性があり、当初設置されていたテントが倒壊し、キャンパーを困惑させる。その他、比較的辺境地でのキャンプは通常、照明器具が不足しているため、夜間或いは光線が乏しい状況では、キャンパーは活動中に前述の問題が発生しやすい。
【考案の概要】
【考案が解決しようとする課題】
【０００４】
上記実情に鑑み、本考案は従来の技術の欠如を解決するためにキャンプネイル保護構造を提供する。
【課題を解決するための手段】
【０００５】
本考案の目的は発光モジュールとの組み合わせが可能で、且つ分解と組立が容易なキャンプネイル保護構造を提供することである。
【０００６】
上述の目的を達成する為に、本考案のキャンプネイル保護構造は保護本体及びカバーを含む。保護本体は相対する第一端と第二端及び螺旋溝を含み、第二端には内側に向けて収容スペースが設けられており、且つ螺旋溝は第二端から第一端に向けて収容スペースの周りを取り巻いて回転延伸しており、その中で、キャンプネイルは第二端から収容スペース内に入れることができ、且つキャンプロープは収容スペース内から螺旋溝を経て保護本体の外に出ることができる。カバーは取り外しが可能であり、第一端に結合している。
【０００７】
本考案の一つの実施例では、保護本体は更にベアリング部を含み、ベアリング部は第一端に設置されており、且つカバーを前記第１端に組み合わせると、ベアリング部を覆う。
【０００８】
本考案の一つの実施例では、保護本体は更に少なくとも一つの固定構造を含み、少なくとも一つの固定構造は第一端に設置されており、且つカバーは少なくとも一つの対応固定構造を含み、その中で、カバーの少なくとも一つの対応固定構造と保護本体の少なくとも一つの固定構造が互いにしっかり組み合うことで、カバーが保護本体から外れることを防ぐ。
【０００９】
本考案の一つの実施例では、ベアリング部はリング構造を含み、且つ少なくとも一つの固定構造がリング構造の外側壁に設置されている。
【００１０】
本考案の一つの実施例では、リング構造は少なくとも一つの開け口部を含み、且つ各開け口部は外側壁の先端から第二端の方向に向けて凹形を形成している。
【００１１】
本考案の一つの実施例では、各固定構造は凸状構造であり、且つ各対応固定構造は環状凹溝である。
【００１２】
本考案の一つの実施例では、キャンプネイル保護構造は更に発光モジュールを含み、ベアリング部に設置されている。
【００１３】
本考案の一つの実施例では、発光モジュールはプッシュ式発光ダイオードモジュールであり、且つカバーを押すことによりプッシュ式発光ダイオードの電源をオン或いはオフにする。
【００１４】
本考案の一つの実施例では、プッシュ式発光ダイオードモジュールは点滅ライトを発し、点滅ライトは、青色光、赤色光、緑色光、黄色光からなる群から選択される少なくとも１つである。
【００１５】
本考案の一つの実施例では、保護本体はプラスチック素材により製作される。
【００１６】
本考案の一つの実施例では、カバーは透明ゴム素材により製作される。
【００１７】
本考案の一つの実施例では、螺旋溝は第二端から反時計回り或いは時計回りに沿って、第一端の方向に向かって回転延伸している。
【００１８】
従って、本考案のキャンプネイル保護構造は、発光モジュールと組み合わせて照明機能を提供することができ、且つキャンプロープを取り付けたキャンプネイルに容易に装着することがでる。その他、本考案のキャンプネイル保護構造は、発光モジュールに防水効果を与え、悪天候時に発光モジュールが機能を失うのを防ぐ。
【図面の簡単な説明】
【００１９】
【図１】本考案のキャンプネイル保護構造の構造分解図である。
【図２】本考案のキャンプネイル保護構造の保護本体の部分概略図である。
【図３】本考案のキャンプネイル保護構造のカバーの図である。
【図４】本考案のキャンプネイル保護構造をキャンプネイルに装着した図である。
【図５】本考案のキャンプネイル保護構造使用の際の図である。
【考案を実施するための形態】
【００２０】
各種形態と実施例は例示的且つ非限定的であるため、本明細書を読んだ後、通常の知識を有する者は、本考案の範囲から逸脱することなく、他の形態と実施例が可能であることを知ることとなる。以下の詳細な説明と特許請求の範囲に基づき、これらの実施例の特徴及び利点はより顕著になる。
【００２１】
本明細書では、「一つ」或いは「一個」を使用して、本明細書で記述される部品とパーツを説明する。これは、説明の便宜のためであり、本考案の範囲に一般的な意義を提供するためのものである。従って、特に明記しない限り、この説明には１個或いは少なくとも１個が含まれると理解されるべきであり、且つ単数、同時に複数も含まれる。
【００２２】
本明細書では、用語「第一」或いは「第二」等類似の序数詞は、主に同じ或いは類似の部品或いは構造を区別或いは参照するために使用され、必ずしもこれらの部品或いは構造が空間上或いは時間上での順序を意味するものではない。特定の状況或いは構成では、本考案の実施に影響を与えることなく、序数詞は順序を交換して使用できることを理解する必要がある。
【００２３】
その他、本明細書では、用語「含む」、「備える」或いは他の任意の類義用語は、非排他的な包含物が含まれていることを意図している
。例えば、複数の要素を含む部品或いは構造は、本明細書に列挙された要素に限定されず、明示的に列挙されていないが、通常、部品或いは構造に固有である他の要素を含み得る。
【００２４】
本考案のキャンプネイル保護構造は、キャンプロープを取り付けることができる、キャンプネイルに装着するのに用いられる。図１及び図２を併せて参照すると、その中で、図１は本考案キャンプネイル保護構造の構造分解図であり、図２は本考案キャンプネイル保護構造の保護本体の部分概略図である。図１及び図２が示すように、本考案のキャンプネイル保護構造１は保護本体１０及びカバー２０を含み、且つカバー２０は取り外しが可能であり、保護本体１０に結合している。保護本体１０は本考案のキャンプネイル保護構造１の主用構造体である。本考案の一つの実施例では、保護本体１０はプラスチック素材により製作された中空シリンダーであり、その中で、プラスチック素材は好ましい、ポリプロピレン（ｐｏｌｙｐｒｏｐｙｌｅｎｅ、ＰＰ）、ポリエチレン（ｐｏｌｙｅｔｈｙｌｅｎｅ、ＰＥ）、ポリスチレン（ｐｏｌｙｓｔｙｒｅｎｅ、ＰＳ）、熱可塑性エラストマー（ｔｈｅｒｍｏｐｌａｓｔｉｃ  ｅｌａｓｔｏｍｅｒ、ＴＰＥ）或いはポリアミド（ｐｏｌｙａｍｉｄｅ）である。
【００２５】
保護本体１０は第一端１１、第二端１２、螺旋溝１３、ベアリング部１４及び少なくとも一つの固定構造１５を含む。第一端１１及び第二端１２は、保護本体１０の２つの相対する端部である。保護本体１０の第一端１１はカバー２０の取り外し可能と結合可能のためのものであり、且つベアリング部１４及び少なくとも一つの固定構造１５は第一端１１に設置されている。従って、カバー２０が第一端１１と結合するとき、ベアリング部１４及び少なくとも一つの固定構造１５はカバー２０に覆われている。第二端１２は内側に向けて（第一端１１の方向に向かって）、収容スペース１２１を設けており、キャンプネイルを第二端１２から収容スペース１２１内に入れることができる。
【００２６】
螺旋溝１３は第二端１２から第一端１１に向けて収容スペース１２１の周りを取り巻いて回転延伸しており、且つ螺旋溝１３は第二端１２に隣接する一個の開口部を形成し、キャンプネイルに取り付けられたキャンプロープが前記開口部を通って螺旋溝１３に入るのを容易にする。螺旋溝１３は貫通式の溝であり、即ち、螺旋溝１３の両側は、それぞれ、外界及び収容スペース１２１と繋がっている。従って、キャンプロープを取り付けたキャンプネイルが第二端部１２から収容スペース１２１内に入るとき、キャンプロープは、収容スペース１２１内から螺旋溝１３を経て、保護本体１０の外に出ることができる。本考案の一つの実施例では、螺旋溝１３は第二端１２から反時計回りに沿って、第一端１１の方向に向かって回転延伸しており、使用者は反時計回りの回転方式でのみ、本考案のキャンプネイル保護構造１を、キャンプロープを取付けたキャンプネイルに装着できるが、本考案はこれに限らず、螺旋溝１３は第二端１２から時計回りに沿って、第一端１１の方向に向かって回転延伸することも可能である。
【００２７】
本考案の一つの実施例では、ベアリング部１４はリング構造１４１を含む。リング構造１４１は主にベアリング部１４の外周に設置されており、且つリング構造１４１内は発光モジュール３０を受けるための空間を形成する。少なくとも一つの固定構造１５がリング構造１４１の外側壁１４１ａに設置されており、構造選択上において、少なくとも一つの固定構造１５は外側壁１４１ａの一個或いは多数個の凸部構造である表面凸部であり、例えば、点状、ブロック状、線状或いは環状凸部である。リング構造１４１は少なくとも一つの開け口部１４１ｂを含むことが可能で、且つ各開け口部１４１ｂは外側壁１４１ａの先端から第二端１２の方向に向けて凹形を形成している。リング構造１４１の開け口部１４１ｂは複数個とすることが可能であり、（例えば本実施例では、開け口部１４１ｂは２個である）且つ複数個の開け口部１４１ｂは対称的に外側壁１４１ａに設置可能であるが、本考案はこれ限りではない。
【００２８】
図１乃至図３を併せて参照すると、その中で、図３は本考案のキャンプネイル保護構造のカバーの図である。図１乃至図３が示す通り、カバー２０の一端側は内側に向けて（即ち他の一方の端側）収容スペース２１を設けており、カバー２０が保護本体１０の第一端１１と結合するとき、ベアリング部１４及び少なくとも一つの固定構造１５は収容スペース２１内に入ることができる。カバー２０は少なくとも一つの対応固定構造２２を含み、少なくとも一つの対応固定構造２２はカバー２０の収容スペース２１面の内側壁に設置されており、且つ少なくとも一つの対応固定構造２２の構造及び設置位置は保護本体１０の少なくとも一つの固定構造１５の構造及び設置位置に対応している。従って、カバー２０が第一端１１と結合するとき、少なくとも一つの対応固定構造２２と少なくとも一つの固定構造１５が互いにしっかり組み合うことで、収容スペース２１を密封空間にさせ、カバー２０と保護本体１０との間の防水効果を形成する。構造選択上において、少なくとも一つの対応固定構造２２はカバー２０の内側壁の一つ或いは複数個の凹形構造である表面凹形とすることが可能であり、例えば、点状、ブロック状、線状或いは環状凹溝であり、
前記少なくとも一つの固定構造１５と対応してしっかり組み合うためのものである。しかし、本考案はこれ限りではない。例えば、前記少なくとも一つの固定構造１５と前記少なくとも一つの対応固定構造２２の構造は交換可能であり、或いは防水密封効果を提供する他の密封部材を追加設置することが可能である（例えばラバーＯリング）。
【００２９】
本考案の一つの実施例では、カバー２０は透明ゴム素材により製作され、例えば、熱可塑性ポリアミドエラストマー（ｔｈｅｒｍｏｐｌａｓｔｉｃ  ｐｏｌｙａｍｉｄｅ  ｅｌａｓｔｏｍｅｒ、ＴＰＡ）を使用し、良い光透過効果を提供する。しかし、本考案はこれ限りではない。その他、カバー２０の上端部で軟質のプレス層を形成することができるが、本考案はこれ限りではない。
【００３０】
本考案の一つの実施例では、本考案のキャンプネイル保護構造１は更に前記発光モジュール３０を含む。発光モジュール３０はベアリング部１４のリング構造１５内に設置されており、リング構造１５は、発光モジュール３０の位置決め及び固定機能を提供することができる。従って、カバー２０が保護本体１０の第一端１１と結合するとき、発光モジュール３０は収容スペース２１内に密封され、発光モジュール３０が外界の異物或いは水気に接触して、その機能が影響されるのを防ぐ。本考案の一つの実施例では、発光モジュール３０はプッシュ式発光ダイオードモジュールであり、且つカバー２０の上端を押すことによりプッシュ式発光ダイオードの電源をオン或いはオフにする。本考案の一つの実施例では、プッシュ式発光ダイオードモジュールは点滅ライトを発し、点滅ライトは、青色光、赤色光、緑色光、黄色光からなる群から選択される少なくとも１つであるが、本考案はこれ限りではない。プッシュ式発光ダイオードモジュールは他の色彩の点滅ライトを発することもでき、或いは任意の色彩の恒常光を発することができる。その他、発光モジュール３０は交換可能なバッテリー部品を含むことができるが、本考案はこれ限りではない。
【００３１】
図１、図２、図４及び図５を併せて参照すると、その中で図４は本考案のキャンプネイル保護構造をキャンプネイルに装着した図であり、且つ図５は本考案のキャンプネイル保護構造使用の際の図である。図１、図２、図４及び図５が示す通り、本考案のキャンプネイル保護構造１は主にキャンプロープ３を取付けたキャンプネイル２に装着している。本考案の一つの実施例では、使用者は本考案のキャンプネイル保護構造１を反時計回り方向でＲ回転しつつ、キャンプネイル２上に装着し、キャンプネイル２を第二端１２から保護本体１０の収容スペース１２１内に入らせる。キャンプロープ３は螺旋溝１３が隣接する第二端１２の開口部から螺旋溝１３に入り、前述の回転過程において、キャンプロープ３を螺旋溝１３に沿って移動させることで、本考案のキャンプネイル保護構造１の装着は干渉されず、且つキャンプロープ３は収容スペース１２１内から螺旋溝１３を経て、保護本体１０の外に出ることができる。キャンプロープ３が本考案のキャンプネイル保護構造１に対して締固め効果を提供することができるので、本考案のキャンプネイル保護構造１がキャンプネイル２から容易に外れるのを防ぐことができる。従って、本考案のキャンプネイル保護構造１は、キャンプネイル２を有効的に覆い、保護効果を提供することができる。
【００３２】
更に、本実施例では、使用者はカバー２０を押すことにより、発光モジュール３０の電源オン或いはオフを触発し、夜間或いは光線が不足の状況下で、本考案のキャンプネイル保護構造１は更に夜間照明或いは警告効果を提供できる。しかもカバー２０と保護本体１０とのしっかりした結合により、発光モジュール３０が外界の異物或いは水気に接触して、その正常な機能が影響されるのを有効的に防ぐことができる。その他、発光モジュール３０が故障或いは電力不足のとき、使用者はカバー２０を開いて発光モジュール３０を交換することができ、前記リング構造１４１の開け口部１４１ｂの設計は、使用者がベアリング部１４から発光モジュール３０を取り外したり、或いは発光モジュール３０をベアリング部１４に配置したりするのを容易にさせる。
【００３３】
上記の実施方法は本質上、補足的な説明に過ぎず、出願対象の実施例或いはその実施例の応用或いは用途を限定することを意図するものではない。その他、少なくとも１つの例示的な実施例が前述の実施方法で提案されてきたが、本考案にはまだ多くの変化があることを理解されたい。本明細書に記載された実施例は、請求した出願対象の範囲、用途、或いは構成をいかなる方法で制限することを意図するものではないことも理解されたい。それどころか、前述の実施方法は、当業者が一つ或いは複数の実施例を実施するための簡易な指針となる。更に、特許請求の範囲によって定義された範囲から逸脱することなく、部品の機能と排列に様々な変更を加えることができ、且つ特許請求の範囲には、既知の同等物及び本願出願時に予測可能の全ての同等物が含まれる。
【符号の説明】
【００３４】
１         キャンプネイル保護構造
１０       保護本体
１１       第一端
１２       第二端
１２１     収容スペース
１３       螺旋溝
１４       ベアリング部
１４１     リング構造
１４１ａ   外側壁
１４１ｂ   開け口部
１５       固定構造
２０       カバー
２１       収容スペース
２２       対応固定構造
３０       発光モジュール
２         キャンプネイル
３         キャンプロープ
【図１】
0003233623.tif 000003
【図２】
0003233623.tif 000004
【図３】
0003233623.tif 000005
【図４】
0003233623.tif 000006
【図５】
0003233623.tif 000007